(57)【要約】【課題】高所側面、又は、棚上面にある塵埃等目的物に手元の操作で吸引・吸着面を近づけ、目的物を除去する吸引・吸着装置を得る。【解決の手段】材質が硬質の吸引・吸着部の次に、自由に曲がる蛇腹型樹脂筒、又は軟質樹脂を取り付け、その蛇腹型筒、又は、軟質樹脂にガイドリングを先端部から順次所定の間隔に複数個固定する。次にその蛇腹型筒、又は、軟質樹脂  に手元となる長い硬質の筒をセットする。次に最先端の吸引・吸着部に紐を固定し、その紐をガイドリングに通し手元の筒の部分まで導く。そして、その紐の所定の部分に止め部を固定し、手元で紐を引くことで最初の止め部が最初のガイドリングで止まり、さらに紐を引くことで第２の止め部が第２のガイドリングの所まできて止まる。これを繰り返すことで吸引・吸着部を自由に手元の操作で曲げることができる吸引・吸着装置を得ることができる。【選択図】図３
0003110379.tif 000002
【実用新案登録請求の範囲】
【請求項１】
吸引・吸着部となる長さ１０〜１００ｍｍの筒▲１▼と曲げるのが容易にでき筒▲１▼の側から所定の間隔に広げた位置にガイドリングを複数個固定した長さ５０〜７００ｍｍの蛇腹型筒▲２▼、目的に近づけ手元で操作する長さ５００〜２０００ｍｍの筒▲３▼の３部からなり、さらに筒▲１▼の蛇腹型筒▲２▼寄りに紐を固定しガイドリングを通して筒▲３▼に導き、その紐に所定の間隔に複数個のガイドリングで止まる止め部を蛇腹筒▲２▼に固定したガイドリングと同数作り、手元で紐を引くことにより蛇腹型筒▲２▼が曲がり始め、吸引・吸着部の筒▲１▼側のガイドリングから紐が動かなくなり、これを続けることにより自由に吸引・吸着部の筒▲１▼を任意に動かすことのできる吸引・吸着装置。
【請求項２】
吸引・吸着部となる筒▲１▼をはぶき蛇腹型筒▲２▼と手元で操作する筒▲３▼のみとし紐を蛇腹型筒▲２▼の先端に固定した請求範囲１の装置。
【請求項３】
先端部の筒▲１▼の材質は硬質樹脂又は金属、蛇腹型筒▲２▼は軟質樹脂、又は、軟質樹脂でできたホース型筒▲２▼’とし、操作する手元の筒▲３▼は硬質樹脂または金属とする請求範囲１の装置。
【考案の詳細な説明】
【考案の詳細な説明】
【考案に属する技術分野】
【０００１】  この考案は、掃除機の吸引力を利用、又は、化学雑巾を利用して高所、又は、棚の上面にたまった塵埃等の目的物を除去するとき、今までは、吸引部、又は、吸着部を目的とする場所に直接手で近づけるため、高所の場合踏み台を利用し、時には掃除機そのものを持ち上げて目的を達成していたが、危険で老若男女誰にでも出来るものではなかった。本装置は床面から側面は側面から作業できる角度に、棚上面の目的物は吸引部の面を手元の操作で近づけることで容易に塵埃等目的物を吸引・吸着できる装置に関するものである。
【背景技術】
【０００２】  掃除機の吸引部は床面の塵埃等目的物を除去することを目的とするため吸引部の先端はＴ字型、もしくは筒の先端を細くした硬質樹脂でできており、そのものを直接側面に利用することは掃除機にセットされている筒の届く範囲では可能だが、それを越えると踏み台、または直接掃除機を持ち上げなければ目的を達成することができないし、棚上面の目的物は踏み台と掃除機を持ち上げる操作を重ねなければならないので不可能に近かった。ゆえに老若男女誰にでもできる作業ではなかった。
【考案が解決しようとする課題】
【０００３】  高所側面、棚上面の塵埃等目的物を除去するには踏み台に乗り、時には掃除機ごと持ち上げて吸引部を目的物に近付けるため危険性が大きく、老若男女誰にでもできるものではなかった。また、化学雑巾にしても吸着面を目的物に近づけねばならないので棚上面の作業は同様に困難であった。
したがって、この考案の目的は上述の諸問題を解決し床面から手元の操作で容易に吸引・吸着面を目的物に近づけることができる吸引・吸着装置を供給することにある。
【課題を解決するための手段】
【０００４】  この考案の装置は、高所の側面や棚上面にある塵埃等の目的物を吸引・吸着する筒▲１▼と、筒▲１▼を目的物に近づけるために容易に曲げることができる蛇腹型筒▲２▼、又は容易に曲げることの出来る軟質樹脂▲２▼’、さらに床面から高所に近づけるための筒▲３▼からなる。
【０００５】  さらに、容易に曲げることのできる蛇腹型筒▲２▼、又は軟質樹脂▲２▼’は、吸引・吸着部となる筒▲１▼の側から所定の間隔に広げてガイドリング、又は、二重リングとナスカンをセットにしたものを複数個固定したものとする。
【０００６】  吸引・吸着部の筒▲１▼を目的物に近づける操作として紐を用い、その紐の一端を吸引・吸着部の筒▲１▼の蛇腹型筒▲２▼側、又は軟質樹脂▲２▼’側に固定し、さらに、蛇腹型筒▲２▼、又は軟質樹脂▲２▼’に固定してある複数個のガイドリング、又は、二重リングを通し手元となる筒▲３▼に導く。さらに、紐には所定の間隔にガイドリング、又は、二重リングまで引かれると、そこで止まるような止め部をガイドリング、又は、二重リングと同様複数個固定する。
【０００７】  このようにして出来上がった装置の手元にある紐を引くと吸引・吸着部としての筒▲１▼が蛇腹型筒▲２▼、又は、軟質樹脂▲２▼’が徐々に曲がることで角度を変え、紐についている最初の止め部が蛇腹型筒▲２▼、又は、軟質樹脂▲２▼’に固定してある最初のガイドリング、又は、二重リングで止まりそれ以上は動かなくなる。さらに紐を引くと第２の止め部が第２のガイドリング、又は、二重リングで止まる。この操作を繰り返すことで、蛇腹型筒▲２▼、又は、軟質樹脂２▼’が徐々に曲がり、同時に吸引・吸着部の筒▲１▼を手元操作で目的物に近づけることができる。
【作用】
【０００８】  この考案の吸引・吸着装置は高所の側面、棚上面にある塵埃等の目的物を除去するのに床面から容易に操作することができ、手元にある紐を引くことで、吸引・吸着面を容易に目的物に近づけられるため目的を達成することができる。
【考案の効果】
【０００９】  ３部からなる筒を組合わせてなる装置であるが、場所によっては吸引・吸着部としての筒▲１▼を除き、蛇腹型筒▲２▼、又は、軟質樹脂▲２▼’の先端に紐を固定し同様の操作をすることで傷が付きやすい箇所の目的物を除去することもでるし、また、場所によっては止め部がガイドリングに達しなくとも目的物が除去できるなど、床面から自由に操作することで高所の側面、棚上面等の目的物を容易に除去することができた。
【実施例１】
【００１０】  吸引部として市販のポリエチレン樹脂の外径１６ｍｍ、長さ２０ｍｍの筒▲１▼と市販のポリエチレン樹脂でできた外径２１ｍｍ、内径１６ｍｍ、長さ２４０ｍｍの蛇腹型ドレンホース▲２▼に市販の内径５ｍｍのガイドリングを先端から５０ｍｍ、１２０ｍｍ，１８０ｍｍ，２４０ｍｍの位置に固定した。つぎに外径１６ｍｍ、長さ１００ｍｍと内径１６ｍｍ、外径２０ｍｍ、長さ１００ｍｍと順次手元の筒部を太くし、掃除機の吸引部の内径３５ｍｍにセットできるようにし全長１０００ｍｍとした筒▲３▼をつくった、次に、太さ約２ｍｍも麻紐を筒▲１▼の中心部に固定し各ガイドリングを通し手元に導いた。その間に固定場所から５０ｍｍ、１００ｍｍ、１５０ｍｍ、２００ｍｍのところにガイドリングで止まる固定部をつくった。次に、筒▲１▼、蛇腹型筒▲２▼、筒▲３▼をつなぎ、掃除機の吸引部にセットした。吸引を開始しつつ高所に筒を向け手元の紐を引くと先端部が曲がり目的を達成することが出来た。
【実施例２】
【００１１】  先端部に化学雑巾をセットした外径１６ｍｍ、長さ２０ｍｍの筒▲１▼と  市販の、内径１６ｍｍ、外径２０ｍｍ、長さ２００ｍｍのビニールホース▲２▼を用意し、紐の固定部の間隔を５ｍｍずつ短くし、以下、実施例１と同じようにしてセットした。その結果、先端部がさらに曲がり、目的物に近付け、左右に筒を動かすだけで目的を達成することが出来た。
【考案の効果】
【００１２】  本考案の装置無しでは、高所の塵埃除去は踏み台無しでは無理であったが、本装置を使用することで、床面から手元で自由に目的の場所に筒口を近づけることが出来た。
【図面の簡単な説明】
【００１３】［図１］この装置の先端部の構成図。
［図２］紐を引き始めると最初の止め部が最初のガイドリングで停止したときの先端部の状態図。
［図３］さらに紐を引くと第２の止め部が第２のガイドリングで停止したときの先端部の状態図。
【符号の説明】
【００１４】１、手先となる筒部
２、蛇腹型筒部
３、吸引・吸着筒部
４、ガイドリング（４−１、４−２、４−３、４−４）
５、紐
６、紐の固定箇所
７、紐に固定した止め部（７−１、７−２、７−３、７−４）
【図１】
0003110379.tif 000003
【図２】
0003110379.tif 000004
【図３】
0003110379.tif 000005